(57)【特許請求の範囲】
【請求項１】
先端部に磁気ヘッドを有し後端部にカムローラを有して、揺動支持軸を中心に揺動可能で軸方向に駆動される複数のヘッドキャリアと、それぞれの前記カムローラが接触して前記先端側の磁気ヘッドをそれぞれ上下方向に揺動させる前記ヘッドキャリアに対応したカムプレートと、前記各ヘッドキャリアの上下方向の揺動を選択的に規制する揺動可能な規制プレートと、切換信号により前記規制プレートを揺動させる駆動手段とを備えた磁気ヘッド切換装置。
【請求項２】
前記カムプレートのカム面の形状が、中央部に前記磁気ヘッドを上昇させる部位を有し、両端部に前記磁気ヘッドを下降させる部位を有し、前記規制プレートが、前記駆動手段への信号がない場合において中立位置にあり、第１の切換信号により一方のカムプレート側に揺動してその上端部が前記一方のカムローラの下に位置し、第２の切換信号により他方のカムプレート側に揺動してその上端部が前記他方のカムローラの下に位置することを特徴とする請求項１記載の磁気ヘッド切換装置。
【請求項３】
前記磁気ヘッドが、前記ヘッドキャリアに回動自在に装着されることを特徴とする請求項１または請求項２記載の磁気ヘッド切換装置。
【発明の詳細な説明】
【０００１】
【発明の属する技術分野】
本発明は、磁気カードや通帳等の磁気記録媒体へのデータの読み出し、書き込みを行う磁気記録装置、特にその磁気ヘッド切換装置に関する。
【０００２】
【従来の技術】
従来、磁気ストライプを設けた通帳を所定位置まで搬送して、磁気ヘッドにより磁気ストライプ上に記録されたデータを読み出したり、磁気ストライプ上にデータを書き込む磁気記録装置が知られている。図７は従来のこの種の磁気記録装置の構成を示している。図７において、磁気記録装置１０１の機体フレーム１０２には、図示されない軸受を介して回転可能に取り付けられたリードスクリュー１０３と、リードスクリュー１０３の上下に平行に取り付けられた上側シャフト１０４および下側シャフト１０５と、リードスクリュー１０３の後方に垂直に固定されたカムプレート１０６とを備えている。リードスクリュー１０３は、左ねじであり、その左側端部には従動プーリ１０７が固定されている。また、機体フレーム１０２の左側端部にはモータ１０８が固定され、モータ１０８の回転軸１０８ａには駆動プーリ１０９が固定されている。そして、駆動プーリ１０９と従動プーリ１０７との間にはタイミングベルト１１０が掛け渡されている。
【０００３】
上側シャフト１０４には、ヘッドキャリア１１１が軸方向に摺動可能かつ半径方向の時計回り方向に回動付勢されて回転可能に取り付けられ、ヘッドキャリア１１１の前端部上には磁気ヘッド１１２が取り付けられている。したがって、磁気ヘッド１１２は、上側シャフト１０４を支点として、時計回り方向に回動付勢されて回転可能になっている。また、下側シャフト１０５には、ガイドキャリア１１３が軸方向に摺動可能に取り付けられ、ガイドキャリア１１３の上部はヘッドキャリア１１１に連結されている。また、ガイドキャリア１１３にはリードナット１１４が固定されており、このリードナット１１４はリードスクリュー１０３に螺合している。したがって、リードスクリュー１０３の回転に追従して、ガイドキャリア１１３、ヘッドキャリア１１１および磁気ヘッド１１２が軸方向に移動する。
【０００４】
一方、ヘッドキャリア１１１の後部には、カムローラ１１５が回転可能に設けてあり、このカムローラ１１５がカムプレート１０６のカム面１０６ａに接触している。また、機体フレーム１０２の両端側には、フォトセンサであるホームポジションセンサ１１６およびリヤマージンセンサ１１７が配置され、これらセンサをヘッドキャリア１１１に設けたシャッター１１８が遮ることにより、ヘッドキャリア１１１の位置が検出される。また、リードスクリュー１０３の右端部には、スリット板１１９が固定され、機体フレーム１０２には、スリット板１１９のスリット数をカウントするクロックセンサ１２０が設けてある。装置全体を制御するＣＰＵを有する主制御部１２１には、モータ１０８を制御するモータ制御部１２２、磁気ヘッド１１２に対する読み書きを行う記録制御部１２３および処理用プログラムを格納したＲＯＭや作業データを一時的に格納するＲＡＭを有する記憶部１２４等が接続されている。
【０００５】
次に、この従来例の動作について説明する。主制御部１２１によりモータ制御部１２２を介してモータ１０８が回転し、駆動プーリ１０９、タイミングベルト１１０および従動プーリ１０７を介してリードスクリュー１０３が回転すると、ガイドキャリア１１３およびヘッドキャリア１１１は、ホームポジションセンサ１１６のオフの位置（ＨＰ位置）から左方向に移動を開始する。同時にリードスクリュー１０３に固定されたスリット板１１９も回転し、クロックセンサ１２０がＨＰ位置からの所定のパルス数を計数した位置が書き込み開始位置である。
【０００６】
ヘッドキャリア１１１が移動を開始すると同時に、磁気ヘッド１１２もカムローラ１１５がカムプレート１０６のカム面１０６ａを転動し、カム面１０６ａの斜面Ａに達すると、カムローラ１１５がその下降形状に倣うので、反対側の磁気ヘッド１１２が持ち上がって、その上方に配置された通帳の磁気ストライプに接し、記録制御部１２３からの信号により書き込み動作が行われる。その後、カムローラ１１５がカム面１０６ａの反対側の斜面Ｂを転動すると、カムローラ１１５がその上昇形状に倣うので、反対側の磁気ヘッド１１２が下がって、その上方に配置された通帳の磁気ストライプから離れて、書き込み動作が終了する。ヘッドキャリア１１１の下降動作が終了すると、リヤマージンセンサ１１７がオフし、その信号により主制御部１２１がモータ制御部１２２を介してモータ１０８にブレーキをかけて停止させ、その後、逆転してヘッドキャリア１１１を元のＨＰ位置に戻す。
【０００７】
このような磁気記録装置においては、金融機関によって通帳に設ける磁気ストライプの位置が異なるため、従来においても、異なる磁気ストライプの位置に合わせて２つの磁気ヘッドを設け、これらの磁気ヘッドを切り換えることにより、異なる通帳に対応させた装置もある。このような磁気ヘッドを切り換えるための機構は、図７のガイドキャリア１１３の上に、通帳の磁気ストライプの位置に合わせて腕の長さの異なる２つのヘッドキャリア１１１を隣接して設け、それぞれを共通のガイドキャリア１１３に連結し、各ヘッドキャリア１１１にそれぞれ磁気ヘッド１１２を設けて、それぞれのヘッドキャリア１１１をそれぞれ別のカムプレート１０６により選択することにより、磁気ヘッド１１２の切り換えを行っている。
【０００８】
図８はこのような従来例における磁気記録装置の磁気ヘッド切換機構を示している。図８において、機体フレームに固定される２枚の同形状の第１カムプレート１３１および第２カムプレート１３２は、それぞれ上端部に斜面Ａおよび斜面Ｂを有するカム面１３１ａ、１３２ａが形成されている。平行に配置された２枚のカムプレート１３１、１３２の間には、同形状の第１および第２規制プレート１３３、１３４が平行に配置されている。手前側の第１カムプレート１３１の両端部内側には、円筒軸状のスペーサ１３５、１３６およびその中央側に支持ピン１３７、１３８が突設されている。各スペーサ１３５、１３６および支持ピン１３７、１３８に対向する各規制プレート１３３、１３４の位置には、縦方向に長い長穴１３９、１４０、１４１、１４２、１４３、１４４、１４５、１４６が形成されている。また、２枚の規制プレート１３３、１３４の間には、三角形状の回転リンク１４７および１４８が配置され、一方の回転リンク１４７は、円筒状の回転軸１４９が両側に突出して設けられ、手前側に突出する回転軸１４９の部分は、手前側の第１規制プレート１３３の長穴１４１を通ってカムプレート１３１の支持ピン１３７に回転可能に嵌合し、後側に突出する回転軸１４９の部分は、後側の第２規制プレート１３４の長穴１４２に回転可能に嵌合する。また、回転リンク１４７の手前側に突出して設けられた段付きピン１５０は、手前側の第１規制プレート１３３に設けられたピン穴１５１に回転可能に嵌合し、回転リンク１４７の後側に突出して設けられた段付きピン１５２は、後側の第２規制プレート１３４に設けられたピン穴１５３に回転可能に嵌合する。他方の回転リンク１４８も同様に構成されており、円筒状の回転軸１５４が両側に突出して設けられ、手前側に突出する回転軸１５４の部分は、第１規制プレート１３３の長穴１４３を通ってカムプレート１３１の支持ピン１３８に回転可能に嵌合し、後側に突出する回転軸１５４の部分は、第２規制プレート１３４の長穴１４４に回転可能に嵌合する。また、回転リンク１４８の手前側に突出して設けられた段付きピン１５５は、第１規制プレート１３３に設けられたピン穴１５６に回転可能に嵌合し、回転リンク１４８の後側に突出して設けられた段付きピン１５７は、第２規制プレート１３４に設けられたピン穴１５８に回転可能に嵌合する。そして、全体は、第１カムプレート１３１のスペーサ１３５、１３６を、第１規制プレート１３３の長穴１３９、１４５および第２規制プレート１３４の長穴１４０、１４６、および第２カムプレート１３２の取付穴１５９、１６０を通して、それぞれねじ１６１、１６２により固定される。そして、回転リンク１４７、１４８の下部に設けられた取付穴１６３、１６４に、作動プレート１６５の両端部に設けられた係止ピン１６６、１６７が回転可能に嵌合し、作動プレート１６５は、前端部が圧縮コイルばね１６８により引っ張られており、後端部にはソレノイド１６９に連結されている。
【０００９】
磁気ヘッド切換機構は以上のように構成されているため、ソレノイド１６９が非励磁状態の時は、作動プレート１６５は圧縮コイルばね１６８により実線で示す矢印Ｆ１の方向に引っ張られており、このため、回転リンク１４７、１４８は、時計回り方向に回動して、それぞれ段付きピン１５０、１５２および１５５、１５７により第１規制プレート１３３を上昇させ、第２規制プレート１３４を下降させる。一方、ソレノイド１６９が励磁されると、逆に、作動プレート１６５はソレノイド１６９により破線で示す矢印Ｆ２の方向に引っ張られ、このため、回転リンク１４７、１４８は、反時計回り方向に回動して、それぞれ段付きピン１５０、１５２および１５５、１５７により第１規制プレート１３３を下降させ、第２規制プレート１３４を上昇させる。規制プレート１３３、１３４が下降位置に位置するときは、規制プレート１３３、１３４の上端部１３３ａ、１３４ａがカムプレート１３１、１３２のカム面１３１ａ、１３２ａの谷部の位置とほぼ同じ位置になり、規制プレート１３３、１３４が上昇位置に位置するときは、規制プレート１３３、１３４の上端部１３３ａ、１３４ａがカムプレート１３１、１３２のカム面１３１ａ、１３２ａの山部の位置とほぼ同じ位置になる。
【００１０】
図９はこのような磁気ヘッド切換機構と磁気ヘッドの関係を示している。図９において、第１カムプレート１３１のカム面１３１ａには、第１ヘッドキャリア１７０の後端部に設けられたカムローラ１７１が接触しており、第１ヘッドキャリア１７０の前端部には、第１磁気ヘッド１７２が取付ピン１７３により回動可能に設けられている。同様に、第２カムプレート１３２のカム面１３２ａには、第２ヘッドキャリア１７４の後端部に設けられたカムローラ１７５が接触しており、第２ヘッドキャリア１７４の前端部には、第２磁気ヘッド１７６が取付ピン１７７により回動可能に設けられている。また、各カムローラ１７１、１７５には、第１および第２規制プレート１３３、１３４の上端部１３３ａ、１３４ａも接触している。図９に示す状態は、作動プレート１６５がソレノイド１６９に引っ張られて、第１規制プレート１３３が下降し、第２規制プレート１３４が上昇している状態である。このため、第１ヘッドキャリア１７０は、第１カムプレート１３１のカム面１３１ａに追従して上下動可能であり、第２ヘッドキャリア１７４は、第２規制プレート１３４に規制されて、第２カムプレート１３２のカム面１３２ａに追従することはできない。したがって、第１磁気ヘッド１７２のみが選択されて、カム面１３１ａにより上昇して、記録位置Ｐに位置する通帳の磁気ストライプＭ１に対する書き込みが可能になる。同様に、ソレノイド１６９が非励磁の場合は、第２磁気ヘッド１７６のみが選択されて、カム面１３２ａにより上昇して、記録位置Ｐに位置する別の通帳の磁気ストライプＭ２に対する書き込みが可能になる。
【００１１】
【発明が解決しようとする課題】
しかしながら、上記従来の磁気ヘッド切換機構は、構造が複雑で部品点数が多いばかりでなく、磁気ヘッドの切り換えに際しては、ソレノイドが、引っ張りコイルばねの復帰力に抗して励磁状態を保持しなければならないので、保持力の大きなソレノイドを使用する必要がある。このため、大形のソレノイドが必要となり、電流も多く消費するといった問題があった。
【００１２】
本発明は、このような従来の問題を解決するものであり、構造が簡単であるとともに、小型で消費電流の小さな駆動手段を使用することのできる磁気ヘッド切換装置を提供することを目的とする。
【００１３】
上記目的を達成するために、本発明の磁気ヘッド切換装置は、先端部に磁気ヘッドを有し後端部にカムローラを有して、揺動支持軸を中心に揺動可能で軸方向に駆動される複数のヘッドキャリアと、それぞれの前記カムローラが接触して前記先端側の磁気ヘッドをそれぞれ上下方向に揺動させる前記ヘッドキャリアに対応したカムプレートと、前記各ヘッドキャリアの上下方向の揺動を選択的に規制する揺動可能な規制プレートと、切換信号により前記規制プレートを揺動させる駆動手段とを備えたものである。この構成により、１枚の規制プレートを揺動させるだけで、２個のヘッドキャリアの上下方向の揺動を選択的に規制できるので、構造が簡単で小型で消費電流の小さな駆動手段を使用することができる。
【００１４】
また、本発明の磁気ヘッド切換装置は、前記カムプレートのカム面の形状が、中央部に前記磁気ヘッドを上昇させる部位を有し、両端部に前記磁気ヘッドを下降させる部位を有し、前記規制プレートが、前記駆動手段への信号がない場合において中立位置にあり、第１の切換信号により一方のカムプレート側に揺動してその上端部が前記一方のカムローラの下に位置し、第２の切換信号により他方のカムプレート側に揺動してその上端部が前記他方のカムローラの下に位置することを特徴とするものである。この構成により、規制プレートを揺動させるだけで、一方のヘッドキャリアの上下方向の揺動を規制し、他方のヘッドキャリアの上下方向の揺動を自由にすることができる。
【００１５】
また、本発明の磁気ヘッド切換装置は、前記磁気ヘッドが、前記ヘッドキャリアに回動自在に装着されることを特徴とするものである。この構成により、磁気ヘッドを通帳等の磁気記録面に密着させることができる。
【００１６】
【発明の実施の形態】
以下、本発明の実施の形態について図面を参照して説明する。図１は本発明の実施の形態における磁気ヘッド切換装置の概略構成を示しており、磁気記録装置の基本的な構成は図７に示した従来例と同様である。すなわち、図７のガイドキャリア１１３の上に、通帳の磁気ストライプの位置に合わせて腕の長さの異なる２つのヘッドキャリア１１１を隣接して設け、それぞれを共通のガイドキャリア１１３に連結し、各ヘッドキャリア１１１にそれぞれ磁気ヘッド１１２を設けて、それぞれのヘッドキャリア１１１を、本発明の磁気ヘッド切換装置により選択することにより、磁気ヘッド１１２の切り換えを行うものである。
【００１７】
図１において、機体フレームに固定される２枚の同形状の第１カムプレート１および第２カムプレート２は、それぞれ上端部にカム面１ａ、２ａが形成されている。カム面１ａ、２ａは、それぞれ両側の山部と中間の谷部との境界に斜面Ａおよび斜面Ｂを有する。平行に配置された２枚のカムプレート１、２の間には、１枚の規制プレート３がこれらと平行に配置されている。規制プレート３は、両端部に直角に折り曲げられた耳部４、５を有し、それぞれの耳部４、５に形成された穴４ａ、５ａに駆動シャフト６が通されて耳部４、５に回転不能に固定され、駆動シャフト６は、その両端部を機体フレームに回転可能に支持される。駆動シャフト６の一端部には、駆動レバー７の一端部が固定され、駆動レバー７の他端部には、ソレノイド８のプッシュロッド８ａが連結されている。また、第１カムプレート１の内側両端部には、ねじ穴を有するスペーサ軸９、１０が突設され、これらスペーサ軸９、１０に対向する規制プレート３の位置には、縦方向に長い長穴１１、１２が形成され、さらに第２カムプレート２の対向する位置には、取付穴１５、１６が形成されている。したがって、第１カムプレート１のスペーサ軸９、１０を規制プレート３の長穴１１、１２に通して第２カムプレート２の内側面に突き当て、取付ねじ１５、１６を第２カムプレート２の取付穴１３、１４を通してスペーサ軸９、１０のねじ穴に締結することにより、３枚のプレート１、２、３が組み立てられる。
【００１８】
図２は本実施の形態における磁気ヘッド切換装置と磁気ヘッドとの関係を示している。図２において、第１カムプレート１のカム面１ａには、第１ヘッドキャリア２１の後端部に設けられた第１カムローラ２２が接触しており、第１ヘッドキャリア２１の先端部には、第１磁気ヘッド２３が取付ピン２４により回動可能に設けられている。同様に、第２カムプレート２のカム面２ａには、第２ヘッドキャリア２５の後端部に設けられた第２カムローラ２６が接触しており、第２ヘッドキャリア２５の先端部には、第２磁気ヘッド２７が取付ピン２８により回動可能に設けられている。第１カムローラ２２の内側側面および第２カムローラ２６の外側側面のコーナーは、面取り（平面または曲面）２２ａ、２６ａが形成されている。第１および第２ヘッドキャリア２１、２５は、記録位置Ｐにおける異なる通帳の磁気ストライプの位置Ｍ１、Ｍ２に合わせて腕の長さの異なり、それぞれの後端部が共通の揺動支持軸２９（図３の上側シャフト１０４に相当）に回動可能に支持されるとともに、リードスクリューに駆動されるガイドキャリア（図３のガイドキャリア１１３に相当）に連結されている。また、規制プレート３の高さ寸法は、その上端部が各カム面１ａ、２ａの山部の高さと同等になっている。
【００１９】
次に、本実施の形態の動作について説明する。なお、第１および第２ヘッドキャリア２１、２５は、それぞれカムローラ２２、２６がカムプレート１、２のカム面１ａ、２ａに圧接するように、図示されないばね手段により揺動支持軸２９の回りに回動付勢されている。図２に示す状態は、図１のソレノイド８がオフの時の中立状態であり、規制プレート３は第１および第２カムプレート１、２の中間に位置している。図示されない制御部が、装置内に挿入された通帳の磁気ストライプの位置を検出すると、その磁気ストライプの位置に合致した磁気ヘッドを選択するために、ソレノイド８に切換信号を送る。検出した磁気ストライプの位置がＭ１である場合には、ソレノイド８に順方向の電流を流してプッシュロッド８ａを引っ張り、図３（ａ）に示すように、規制プレート３を時計回り方向に回動させる。これにより、規制プレート３の上端部が第２カムローラ２６の下部に潜り込む。したがって、第１および第２ヘッドキャリア２１、２５がガイドキャリアを介してリードスクリューにより軸方向に移動した場合に、第２カムプレート２のカム面２ａの山部と同じ高さには規制プレート３の上端部が位置しているため、第２カムローラ２６はカム面２ａに追従して移動することができないので、第２ヘッドキャリア２５は上下方向の揺動を阻止されるの対し、第１カムプレート１のカム面１ａに接触している第１カムローラ２２は自由に移動することができ、第１カムローラ２２がカム面１ａの谷部に進入した時に第１磁気ヘッド２３が持ち上げられて磁気ストライプＭ１に接触し記録動作が可能となる。
【００２０】
また、検出した磁気ストライプの位置がＭ２である場合には、ソレノイド８に逆方向の電流を流してプッシュロッド８ａを押し出し、図３（ｂ）に示すように、規制プレート３を反時計回り方向に回動させる。これにより、規制プレート３の上端部が第１カムローラ２２の下部に潜り込む。したがって、第１および第２ヘッドキャリア２１、２５がガイドキャリアを介してリードスクリューにより軸方向に移動した場合に、第１カムプレート１のカム面１ａの山部と同じ高さには規制プレート３の上端部が位置しているため、第１カムローラ２２はカム面１ａに追従して移動することができないので、第１ヘッドキャリア２１は上下方向の揺動を阻止されるのに対し、第２カムプレート２のカム面２ａに接触している第２カムローラ２６は自由に移動することができ、第２カムローラ２６がカム面２ａの谷部に進入した時に第２磁気ヘッド２７が持ち上げられて磁気ストライプＭ２に接触し記録動作が可能となる。
【００２１】
このように、本実施の形態によれば、先端部に磁気ヘッド２３、２７を有し、後端部にカムローラ２２、２６を有して、揺動支持軸２９に支持されて上下方向に揺動可能な腕の長さの異なる２個のヘッドキャリア２１、２５を備え、各ヘッドキャリア２１、２５のカムローラ２２、２６をそれぞれカムプレート１、２のカム面１ａ、２ａに接触させて揺動支持軸２９の軸方向に転動させることにより、カム面１ａ、２ａの谷部において磁気ヘッド２３、２７を持ち上げて、それぞれ通帳の磁気ストライプＭ１、Ｍ２に選択的に接触させて記録を行う磁気記録装置において、２枚のカムプレート１、２の間に揺動可能な１枚の規制プレート３を配置して、規制プレート３を切換信号により駆動シャフト６を介して中立位置から一方のカムプレート側に揺動させて、その上端部をカムローラの下に位置させることにより、一方のカムローラがカムプレートのカム面に追従できなくなるようにしたので、他方のカムローラのみが他方のカムプレートのカム面に追従できるようになり、カムローラがカム面の谷部に進入した時に先端側の磁気ヘッドが持ち上げられて磁気ストライプに接触し、記録動作を行わせることができる。
【００２２】
なお、上記実施の形態では、規制プレート３の高さ寸法を、上端部が各カム面１ａ、２ａの山部の高さと同等にしているが、規制プレート３の高さ寸法は、カム面の谷部より所定量以上高く、山部と同等以下の間であれば、磁気ヘッドが磁気ストライプに接触するのを防止することができるので、この範囲で自由に設定することができる。また、駆動手段としてソレノイド８を使用しているが、その他にモータにより駆動することができる。また、上記実施の形態は、磁気記録の対象を通帳の磁気ストライプとしたが、カードの磁気ストライプであってもよい。
【００２３】
図４は上記した磁気ヘッド切換装置を用いた通帳磁気ストライプ読取装置のカバーを外した斜視図であり、図５は同磁気ストライプ読取装置の平面図である。Ａ通帳３１とＢ通帳３２とは、Ｂ通帳３２の方が横幅が大きく、それぞれの磁気ストライプ３１ａ、３２ａの位置も異なる。Ａ通帳３１およびＢ通帳３２が挿入方向３３から挿入される筐体３４の上面には、４個の直行ローラ３５と１個の幅寄せローラ３６とが覗いている。また、筐体３４の上面には、Ａ通帳３１の磁気ストライプ３１ａに対向する位置に第２磁気ヘッド２７が配置され、Ｂ通帳３２の磁気ストライプ３２ａに対向する位置には第１磁気ヘッド２３が配置されている。また、筐体３４の上面には、通帳挿入方向３３の左側に通帳挿入検出センサ３７、通帳左端検出センサ３８、通帳先端検出センサ３９がそれぞれ所定の位置に配置され、通帳挿入方向３３の右側には、Ａ通帳右端検出センサ４０、Ｂ通帳右端検出センサ４１がそれぞれ所定の位置に配置されている。
【００２４】
次に、この通帳磁気ストライプ読取装置の動作について図６を用いて説明する。Ａ通帳３１またはＢ通帳３２が通帳挿入方向３３から挿入されると、通帳挿入検出センサ３７がその挿入を検出し（ステップＳ１）、直行ローラ３５が通帳を装置内部に搬送する（ステップＳ２）。次いで、通帳先端検出センサ３９が反応（センサが透過型光センサの場合はオンからオフ、センサが反射型光センサの場合はオフからオン）して通帳の先端が検出されると（ステップＳ３）、通帳左端検出センサ３５が反応したかどうかを調べ（ステップＳ４）、反応しない場合は幅寄せローラ３６を駆動して通帳をストッパに当たるまで左側に寄せ（ステップＳ５）、再び通帳左端検出センサ３５が反応したかどうかを調べる（ステップＳ４）。通帳左端検出センサ３５が反応した場合には、Ａ通帳右端検出センサ４０に反応があるかどうかを調べ（ステップＳ６）、反応しない場合は、Ａ通帳３１よりも小さい通帳または帳票と判断して、直行ローラ３５を逆転してそれを装置外に排出し（ステップＳ７）、エラー発生を警告する。Ａ通帳右端検出センサ４０が反応した場合は、さらにＢ通帳右端検出センサ４１が反応したかどうかを調べ（ステップＳ８）、反応しない場合は、Ａ通帳３１であると判断して、前回検出された通帳がＢ通帳３２である場合には、Ｂ通帳用第１磁気ヘッド２３を下降させ、Ａ通帳用第２磁気ヘッド２７を上昇させて磁気ヘッドを切り替え（ステップＳ９）、第２磁気ヘッド２７による磁気ストライプ３１ａに対する読み出し、書き込み動作を開始する。Ｂ通帳右端検出センサ４１が反応した場合には、Ａ通帳３１であると判断して、前回検出された通帳がＡ通帳３１である場合には、Ａ通帳用第２磁気ヘッド２７を下降させ、Ｂ通帳用第１磁気ヘッド２３を上昇させて磁気ヘッドを切り替え（ステップＳ１０）、第１磁気ヘッド２３による磁気ストライプ３２ａに対する読み出し、書き込み動作を開始する。
【００２５】
このように、上記した通帳磁気ストライプ読取装置は、直行ローラ３５および幅寄せローラ３６と、通帳挿入検出センサ３７、通帳左端検出センサ３８、通帳先端検出センサ３９、Ａ通帳右端検出センサ４０およびＢ通帳右端検出センサ４１とを備えているので、装置内に挿入された通帳がＡ通帳３１であるかＢ通帳３２であるかを検出することができ、その検出結果に応じて第１磁気ヘッド２３または第２磁気ヘッド２７を切り換えるので、大きさおよび磁気ストライプの位置が異なる２種類の通帳に対する読み書きを適正に行うことができ、本発明の磁気ヘッド切換装置を有効に活用することができる。
【００２６】
【発明の効果】
以上説明したように、本発明の磁気ヘッド切換装置は、先端部に磁気ヘッドを有し後端部にカムローラを有して、揺動支持軸を中心に揺動可能で軸方向に駆動される複数のヘッドキャリアと、それぞれのカムローラが接触して先端側の磁気ヘッドをそれぞれ上下方向に揺動させるヘッドキャリアに対応したカムプレートと、各ヘッドキャリアの上下方向の揺動を選択的に規制する揺動可能な規制プレートと、切換信号により規制プレートを揺動させる駆動手段とを備えたものであり、１枚の規制プレートを揺動させるだけで、２枚のヘッドキャリアの上下方向の揺動を選択的に規制できるので、構造が簡単で小型で消費電流の小さな駆動手段を使用することができる。
【図面の簡単な説明】
【図１】本発明の実施の形態における磁気ヘッド切換装置の概略構成を示す分解斜視図
【図２】本発明の実施の形態における磁気ヘッド切換装置と磁気ヘッドの関係を示す正面図
【図３】（ａ）本発明の実施の形態における磁気ヘッド切換装置の一方の側への切換状態を示す正面図
（ｂ）本発明の実施の形態における磁気ヘッド切換装置の他方の側への切換状態を示す正面図
【図４】本発明の実施の形態における磁気ヘッド切換装置を用いた通帳磁気ストライプ読取装置のカバーを外した状態を示す斜視図
【図５】本発明の実施の形態における磁気ヘッド切換装置を用いた通帳磁気ストライプ読取装置のカバーを外した状態を示す平面図
【図６】本発明の実施の形態における磁気ヘッド切換装置を用いた通帳磁気ストライプ読取装置の動作を示すフロー図
【図７】本発明の磁気ヘッド切換装置が適用される磁気記録装置の基本的な構成を示す概略斜視図
【図８】従来例における磁気ヘッド切換装置の概略構成を示す分解斜視図
【図９】従来例における磁気ヘッド切換装置の動作を示す正面図
【符号の説明】
１  第１カムプレート
１ａ  カム面
２  第２カムプレート
２ａ  カム面
３  規制プレート
４、５耳部
６  駆動シャフト
７  駆動レバー
８  ソレノイド
９、１０  スペーサ軸
１１、１２  長穴
１３、１４  取付穴
１５、１６  取付ねじ
２１  第１ヘッドキャリア
２２  第１カムローラ
２３  第１磁気ヘッド
２４  取付ピン
２５  第１ヘッドキャリア
２６  第１カムローラ
２７  第１磁気ヘッド
２８  取付ピン
２９  揺動支持軸
３１  Ａ通帳
３２  Ｂ通帳
３１ａ、３２ａ  磁気ストライプ
３３  通帳挿入方向
３４  筐体
３５  直行ローラ
３６  幅寄せローラ
３７  通帳挿入検出センサ
３８  通帳左端検出センサ
３９  通帳先端検出センサ
４０  Ａ通帳右端検出センサ
４１  Ｂ通帳右端検出センサ
【図１】
0003828039.tif 000002
【図２】
0003828039.tif 000003
【図３】
0003828039.tif 000004
【図４】
0003828039.tif 000005
【図５】
0003828039.tif 000006
【図６】
0003828039.tif 000007
【図７】
0003828039.tif 000008
【図８】
0003828039.tif 000009
【図９】
0003828039.tif 000010